(57)【要約】【課題】受刃と刃部とによる茎稈の切断面積を大きく（懐を広く）して、切断性能を良好に確保することで、茎稈が太い作物の刈取作業にも好適なコンバインを提供すること。【解決手段】刈刃装置は、進行方向である前後方向に伸延する先端先細り棒状に形成するとともに、機体の幅方向である左右方向に間隔をあけて配置した固定刃としての受刃と、受刃に摺接して左右方向に往復切断摺動可能となした可動刃としての刈刃と具備し、刈刃は、相対的に大きい山型の主刃部と小さい山型の副刃部とを左右方向に互い違いに配置して形成し、左右に隣接する受刃同士の間に入ってきた作物の茎稈には、先ず副刃部が切断作用し、その後に主刃部が切断作用するようにした。【選択図】図５
2014166148.tif 000002
【特許請求の範囲】
【請求項１】
刈刃装置により圃場の作物の茎稈を切断して作物を刈り取る刈取部を備えたコンバインであって、
刈刃装置は、進行方向である前後方向に伸延する先端先細り棒状に形成するとともに、機体の幅方向である左右方向に間隔をあけて配置した固定刃としての受刃と、受刃に摺接して左右方向に往復切断摺動可能となした可動刃としての刈刃と具備し、
刈刃は、相対的に大きい山型の主刃部と小さい山型の副刃部とを左右方向に互い違いに配置して形成し、
左右に隣接する受刃同士の間に入ってきた作物の茎稈には、先ず副刃部が切断作用し、その後に主刃部が切断作用するようにしたことを特徴とするコンバイン。
【請求項２】
左右に隣接する受刃同士の間隔内にて、少なくとも左右に隣接する主刃部と副刃部が往復切断摺動するようにしたことを特徴とする請求項１記載のコンバイン。
【請求項３】
副刃部の基部から先端までの前後張り出し幅は、主刃部の基部から先端までの前後張り出し幅の半分以下に形成したことを特徴とする請求項１又は２記載のコンバイン。
【請求項４】
主・副刃部はそれぞれ左側傾斜刃面と右側傾斜刃面とを有する山型に形成するとともに、主・副刃部の左側傾斜刃面同士ないしは右側傾斜刃面同士は略平行となるように形成したことを特徴とする請求項１〜３のいずれか１項記載のコンバイン。
【発明の詳細な説明】
【技術分野】
【０００１】
本発明は、コンバイン、詳しくはコンバインが具備する刈刃の形状に関する。
【背景技術】
【０００２】
従来、全桿投入型形態である汎用型ないしは普通型コンバインの一形態として、特許文献１に開示されたものがある。すなわち、特許文献１には、圃場の作物を刈り取る刈取部と、刈取部により刈り取った作物を脱穀する脱穀部を備えた普通型コンバインが開示されている。そして、刈取部は、作物を掻き込む掻込リールと、掻込リールにより掻き込まれる作物の茎稈を切断する刈刃装置と、刈刃装置により切断された作物を掻き込む掻込オーガとを具備している。刈刃装置は、固定刃としての受刃と、可動刃としての刈刃と具備している。
【０００３】
受刃は前後方向に伸延させるとともに先端先細り棒状に形成している。左右方向に伸延する支持基体に多数の受刃の後端部（基端部）を、左右方向に間隔をあけて取り付けている。各受刃の後半部には左右方向に貫通させて開口する刈刃摺動路を形成している。
【０００４】
刈刃は、左右方向に伸延させて形成し、その後端縁部（基端縁部）を支持基体に左右往復摺動自在に取り付けている。刈刃の前端縁部は、同一形状となした山型の多数の刃部を左右方向に連続させた鋸刃状に形成している。刃部の山型の頂部は、左右に隣接する受刃同士の中心線間にて刈刃摺動路を通して往復摺動するように配置されている。つまり、受刃のピッチと刃部のピッチが同一に設定されている。
【０００５】
刈刃装置は、このように構成することで、左右に隣接する受刃同士間に入ってきた作物の茎稈を刈刃の刃部と、その刃部が摺動する側の受刃とが協働して切断するようにしている。
【先行技術文献】
【特許文献】
【０００６】
【特許文献１】特開２０１３−９６５４号公報
【発明の概要】
【発明が解決しようとする課題】
【０００７】
ところが、上記した普通型コンバインの刈刃装置では、刈刃の前端縁部が同一形状となした山型の多数の刃部を左右方向に連続させた鋸刃状に形成されて、受刃のピッチと刃部のピッチが同一に設定されているため、受刃と刃部とによる茎稈の切断面積が小さく（懐が狭く）なっている。そのため、近年の高速作業においては切断性能不足が発生して、機体とともに前方へ移動する刈刃により茎稈を強引に押しながら刈り取る、いわゆる押し刈りが発生しているという不具合がある。特に、茎稈が太い作物の刈取適用性に難がある。また、可動刃である刈刃の左右摺動速度を増大させることで切断性能を良好に確保することもできるが、その場合、刈刃の振動が増大して、強度・耐久面での困難性が発生する。
【０００８】
そこで、本発明では、受刃と刃部とによる茎稈の切断面積を大きく（懐を広く）して、切断性能を良好に確保することで、茎稈が太い作物の刈取作業にも好適なコンバインを提供することを目的とする。
【課題を解決するための手段】
【０００９】
請求項１記載の発明に係るコンバインは、刈刃装置により圃場の作物の茎稈を切断して作物を刈り取る刈取部を備えたコンバインであって、刈刃装置は、進行方向である前後方向に伸延する先端先細り棒状に形成するとともに、機体の幅方向である左右方向に間隔をあけて配置した固定刃としての受刃と、受刃に摺接して左右方向に往復切断摺動可能となした可動刃としての刈刃と具備し、刈刃は、相対的に大きい山型の主刃部と小さい山型の副刃部とを左右方向に互い違いに配置して形成し、左右に隣接する受刃同士の間に入ってきた作物の茎稈には、先ず副刃部が切断作用し、その後に主刃部が切断作用するようにしたことを特徴とする。
【００１０】
かかるコンバインでは、左右に隣接する受刃同士の間に入ってきた作物の茎稈に、先ず、副刃部が切断作用し、副刃部とその摺動側の受刃とが協働して茎稈に事前に切り込みを入れることができる。そして、その後に切り込みの入った（切断負荷が軽減された）茎稈に主刃部が切断作用して、主刃部とその摺動側の受刃とが協働して茎稈を完全に切断することができる。この際、受刃と主・副刃部とによる茎稈の切断面積を大きく（懐を広く）して、切断性能を良好に確保することができるとともに、副刃部と主刃部とにより順次二段階で茎稈を切断作用するため、主刃部による切断効率を向上させることができる。その結果、左右に隣接する受刃同士の間に入ってくる茎稈であれば、太い（切断面積が大きい）茎稈でも堅実に切断することができる。
【００１１】
請求項２記載の発明に係るコンバインは、請求項１記載の発明に係るコンバインであって、左右に隣接する受刃同士の間隔内にて、少なくとも左右に隣接する主刃部と副刃部が往復切断摺動するようにしたことを特徴とする。
【００１２】
かかるコンバインでは、左右に隣接する受刃同士の間隔内にて、少なくとも左右に隣接する主刃部と副刃部が往復切断摺動するようにしているため、左右に隣接する受刃同士の間隔と左右に隣接する主刃部と副刃部が往復切断摺動するストロークを整合させることができて、受刃と主・副刃部との相対位置を刈刃装置全体において整合させることができる。そのため、刈刃装置の全範囲において、左右に隣接する受刃同士の間に入ってきた作物の茎稈に副刃部と主刃部を順次、堅実に切断作用させることができる。その結果、この点からも主刃部による切断効率を向上させることができる。
【００１３】
請求項３記載の発明に係るコンバインは、請求項１又は２記載の発明に係るコンバインであって、副刃部の基部から先端までの前後張り出し幅は、主刃部の基部から先端までの前後張り出し幅の半分以下に形成したことを特徴とする。
【００１４】
かかるコンバインでは、副刃部の基部から先端までの前後張り出し幅は、主刃部の基部から先端までの前後張り出し幅の半分以下に形成しているため、受刃と主・副刃部とによる茎稈の切断面積を大きく（懐を広く）して、切断性能を良好に確保することができる。そして、主刃部の切断領域を大きく形成することができるため、左右に隣接する受刃同士の間隔位に太い茎稈であっても、その太い茎稈に主刃部を堅実に切断作用させることができる。その結果、茎稈の切断効率を向上させることができる。
【００１５】
請求項４記載の発明に係るコンバインは、請求項１〜３のいずれか１項記載の発明に係るコンバインであって、主・副刃部はそれぞれ左側傾斜刃面と右側傾斜刃面とを有する山型に形成するとともに、主・副刃部の左側傾斜刃面同士ないしは右側傾斜刃面同士は略平行となるように形成したことを特徴とする。
【００１６】
かかるコンバインでは、主・副刃部はそれぞれ左側傾斜刃面と右側傾斜刃面とを有する山型に形成するとともに、主・副刃部の左側傾斜刃面同士ないしは右側傾斜刃面同士は略平行となるように形成して、主・副刃部を相似形の山型に形成することができる。そのため、左右方向に往復切断摺動する主・副刃部が往路と復路の何れにおいても茎稈に順次二段階に切断作用して、これらの主・副刃部と受刃とが協働して太い茎稈であっても堅実に切断することができる。
【発明の効果】
【００１７】
本発明によれば、受刃と刃部とによる茎稈の切断面積を大きく（懐を広く）して、切断性能を良好に確保することができるため、茎稈が太い作物の刈取作業にも好適なコンバインを提供することができる。
【図面の簡単な説明】
【００１８】
【図１】本発明に係るコンバインの左側面図。
【図２】本発明に係るコンバインの右側面図。
【図３】本発明に係るコンバインの平面説明図。
【図４】刈取部の拡大左側面図。
【図５】可動刃の平面図（ａ）、固定刃の平面図（ｂ）及び刈刃の平面図（ｃ）。
【図６】図５のI-I線断面図。
【図７】図５のII-II線断面図。
【図８】刈刃の切断動作説明図。
【発明を実施するための形態】
【００１９】
以下に、本発明の実施形態を、図面を参照しながら説明する。すなわち、本実施形態に適用した普通型コンバイン（以下、「コンバイン」という。）全体の構造を図１〜図３を参照しながら説明し、その後に本実施形態の特徴的構造を図４〜図８を参照しながら説明する。
【００２０】
［コンバイン全体の構造の説明］
図１〜図３に示す１は本実施形態に係るコンバインであり、コンバイン１は、左右一対のクローラ式の走行部２,２の直上方に機体３を配置して、機体３の前方に刈取部４を取り付けている。機体３には左側に脱穀部５と選別部６を上下段に配置し、これらの直後方に排藁処理部７を配置する一方、右側に運転部８を配置し、その後下方に原動機部９を配置し、これらの後方に穀粒貯留部（グレンタンク）１０を配置している。１１は原動機部９に設けたエンジンである。穀粒貯留部１０には、そこに貯留された穀粒をトラックの荷台やコンテナ等に搬出するための搬出オーガ１２を連通連設している。この際、搬出オーガ１２には、先端に穀粒投出口部を取り付けた延長用オーガ（図示せず）を接続することで、搬出オーガ１２を必要に応じて延長可能としている。１３は機体３を支持する機体フレームである。
【００２１】
走行部２は、前後方向に伸延する走行フレーム２０の前端部に駆動スプロケット２１を取り付ける一方、走行フレーム２０の後端部にテンションローラ２２を取り付けて、駆動スプロケット２１とテンションローラ２２との間に履帯（クローラ）２３を巻回している。テンションローラ２２は履帯２３のテンションを維持可能としている。駆動スプロケット２１は履帯２３にエンジン１１の動力を伝えて、履帯２３が走行回転するようにしている。２４は履帯２３の接地側を接地状態に保持する複数の走行ローラ、２５は履帯２３の非接地側を保持する中間ローラである。
【００２２】
このように構成した走行部２では、駆動スプロケット２１によって履帯２３の前側を支持させ、テンションローラ２２によって履帯２３の後側を支持させ、走行ローラ２４によって履帯２３の接地側を支持させ、中間ローラ２５によって履帯２３の非接地側を支持させて、履帯２３を走行回転させることで機体３を前後方向に走行移動可能としている。
【００２３】
刈取部４は、図４にも示すように、機体３の前部に単動式の昇降用油圧シリンダ１４を介して昇降位置調節可能に装着して、刈取部４により作物の茎稈を刈取りながら取込むようにしている。ここで、作物とは、例えば、稲、麦、大豆、トーモロコシ等である。そして、刈取部４はフィーダハウス３０とプラットフォーム３１と刈刃装置３２と左右一対のデバイダ３３,３３と掻込リール３４とを具備している。
【００２４】
フィーダハウス３０は前後方向に伸延する四角形筒状に形成して、運転部８の左側下方に配置するとともに、機体３の前部に後端部を昇降自在に枢支している。フィーダハウス３０の内部には刈り取った作物の茎稈を前方から後方に搬送する供給コンベア（図示せず）を配設している。
【００２５】
プラットフォーム３１は、機体３の左右幅と略同一幅で前方が開口するケーシング状に形成して、フィーダハウス３０の前端部開口部（搬入口部）に左側部を連通連結し、内部に左右方向に回動軸芯を向けた掻込オーガ３６を横架している。掻込オーガ３６は後述する刈刃装置３２により刈り取られた作物の茎稈をプラットフォーム３１内に掻き込むとともに、フィーダハウス３０の前端部開口部（搬入口部）内に横送り搬入するようにしている。
【００２６】
刈刃装置３２は、左右方向に伸延するバリカン型に形成しており、プラットフォーム３１の前端縁下部に、その全幅にわたって配設している。そして、作物の茎稈の株元部を刈り取るようにしている。
【００２７】
左右一対のデバイダ３３,３３は、それぞれプラットフォーム３１の左右側壁から前方へ突設して、機体の前進走行に伴って作物の茎稈を刈取側と非刈取側とに分草するようにしている。
【００２８】
掻込リール３４は、左右一対のデバイダ３３,３３間の上方に掻込回転自在に配置しており、同一円周まわりに横架状に配置した多数のタインバー３７を具備して、各タインバー３７に左右方向に間隔をあけて多数のタイン３８を垂下状に取り付けている。そして、掻込リール３４は、両デバイダ３３,３３により分草された刈取側の作物の茎稈を多数のタイン３８によりプラットフォーム３１側に回転しながら掻き込むようにしている。
【００２９】
このように構成した刈取部４では、左右一対のデバイダ３３,３３により分草した作物の茎稈を分草して、その分草した刈取側の作物の茎稈を掻込リール３４のタイン３８により掻き込むとともに、その掻き込まれた作物の茎稈の株元部を刈刃装置３２により刈り取って、プラットフォーム３１内に掻き込むようにしている。そして、プラットフォーム３１内に掻き込まれた作物の茎稈を掻込オーガ３６によりフィーダハウス３０の前端部開口部（搬入口部）に横送り搬入させ、さらには、全作物の茎稈をフィーダハウス３０内の供給コンベアにより後方の機体３に配設した脱穀部５に搬入（投入）するようにしている。
【００３０】
脱穀部５は、供給コンベアの終端部から刈取った作物の茎稈投入用のビータ（図示せず）を介して取り込まれた作物が、扱胴（図示せず）の回転によって機体３の前部から後部に向けて搬送されながら脱穀されるようし、扱胴の下方側に張設した受網（図示せず）の網目よりも小さい穀粒等の脱穀物が、受網からその下方に配設した選別部６に漏下される一方、受網から漏下しない藁屑等が、扱胴の搬送作用によって脱穀部５の後方に配設した排藁処理部７に搬送されるように構成している。
【００３１】
選別部６は、扱胴にて脱穀されて受網から漏下した脱穀物が、揺動選別体（図示せず）の比重選別作用と唐箕（図示せず）の風選別作用とにより、穀粒等の一番物（精粒）、枝梗付き穀粒等の二番物（再選別物）、及び藁屑等の排塵に選別されるように構成している。揺動選別体から落下した穀粒等の一番物は、穀粒貯留部１０に貯留され、また、枝梗付き穀粒等の二番物は、揺動選別体の選別始端側（前部側）に戻されて、揺動選別体によって再選別され、また、藁屑等は排藁処理部７に搬送されて、機体３の後方に藁屑等が排出される。
【００３２】
運転部８は、床部４０上において、前部に機体３の進路を変更する操作レバー４１等を支持する操作コラム４２を配設し、左側部に変速レバー４３等を支持するサイドコラム４４を配設し、後部にオペレータが着座する座席４５を配設している。そして、右側部に運転部８に乗降するための乗降口４６を形成している。また、運転部８には支柱４７を介して日除け用の天蓋体４８を設けている。
【００３３】
穀粒貯留部１０は、選別部６との間に上下方向に伸延する揚穀筒４９を連通状態に介設しており、一番物である穀粒が選別部６から揚穀筒４９の上端部まで搬送されて、上端部に設けた一番物放出口部（図示せず）から穀粒貯留部１０内に一番物を放出させることで、穀粒貯留部１０内に一番物を万遍なく貯留可能に構成するとともに、底部に横架した搬出コンベア（図示せず）を駆動させることで、一番物を後方の搬出オーガ１２に搬出可能に構成している。
【００３４】
［本実施形態の特徴的構造の説明］
刈刃装置３２は、図４〜図８に示すように、本実施形態の特徴的な構造を有している。すなわち、刈刃装置３２は、固定刃としての受刃５１と可動刃としての刈刃５２と具備している。受刃５１は、進行方向である前後方向に伸延する先細り棒状に形成するとともに、機体の幅方向である左右方向に間隔をあけて配置している。刈刃５２は、受刃５１に摺接して左右方向に往復切断摺動可能となしている。そして、刈刃５２は、相対的に大きい山型の主刃部５３と小さい山型の副刃部５４とを左右方向に互い違いに配置して形成し、左右に隣接する受刃５１,５１同士の間に入ってきた作物の茎稈Ｋ（図８参照）に、先ず副刃部５４が切断作用し、その後に主刃部５３が切断作用するようにしている。ここで、少なくとも左右に隣接する主刃部５３と副刃部５４は、左右に隣接する受刃５１,５１同士の間隔Ｗをストロークとして往復切断摺動するようにしている。
【００３５】
刈刃５２を形成する主・副刃部５３,５４は、それぞれ平面視で基部５３ａ,５４ａを四角形板状に形成するとともに、先端部５３ｂ,５４ｂを基部５３ａ,５４ａの前端縁から先細り状の三角形板状に形成して、全体的に五角形状に形成している。副刃部５４の基部５４ａの前端縁から先端部５４ｂの先端（前端）５４ｃまでの前後張り出し幅Ｌ２は、主刃部５３の基部５３ａの前端縁から先端部５３ｂの先端（前端）５３ｃまでの前後張り出し幅Ｌ１の半分以下に形成している。主・副刃部５３,５４の先端部５３ｂ,５４ｂは、それぞれ左側傾斜刃面５３ｄ,５４ｄと右側傾斜刃面５３ｅ,５４ｅとを有する山型の片刃に形成するとともに、これらの左側傾斜刃面５３ｄ,５４ｄ同士ないしは右側傾斜刃面５３ｅ,５４ｅ同士は略平行となるように形成している。つまり、副刃部５４は、主刃部５３と前後張り出し幅が半分以下で相似形の山型に形成している。
【００３６】
このように構成した刈刃装置３２では、図８（ａ）に示すように、左右に隣接する受刃５１,５１同士の間に入ってきた作物の茎稈Ｋに、図８（ｂ）に示すように、先ず、副刃部５４が切断作用し、副刃部５４とその摺動側の受刃５１とが協働して茎稈Ｋに事前に切り込みｋ１を入れることができる。そして、図８（ｃ）に示すように、その後に切り込みｋ１の入った（切断負荷が軽減された）茎稈Ｋに主刃部５３が切断作用して、図８（ｄ）に示すように、主刃部５３とその摺動側の受刃５１とが協働して茎稈を完全に切断することができる。
【００３７】
この際、受刃５１と主・副刃部５３,５４とによる茎稈Ｋの切断面積を大きく（懐を広く）して、切断性能を良好に確保することができるとともに、前段の副刃部５４と後段の主刃部５３とにより順次二段階で茎稈Ｋを切断作用するため、主刃部５３による切断効率を向上させることができる。その結果、左右に隣接する受刃５１,５１同士の間に入ってくる茎稈Ｋであれば、太い（切断面積が大きい）茎稈Ｋでも堅実に切断することができる。
【００３８】
そして、左右に隣接する受刃５１,５１同士の間隔Ｗ内にて、少なくとも左右に隣接する主刃部５３と副刃部５４が往復切断摺動するようにしているため、左右に隣接する受刃５１,５１同士の間隔Ｗと左右に隣接する主刃部５３と副刃部５４が往復切断摺動するストロークを整合させることができて、受刃５１と主・副刃部５３,５４との相対位置を刈刃装置３２全体において整合させることができる。そのため、刈刃装置３２の全範囲において、左右に隣接する受刃５１,５１同士の間に入ってきた作物の茎稈Ｋに副刃部５４と主刃部５３を順次、堅実に切断作用させることができる。その結果、この点からも主刃部５３による切断効率を向上させることができる。
【００３９】
また、副刃部５４の基部５４ａの前端縁から先端部５４ｂの先端（前端）５４ｃまでの前後張り出し幅Ｌ２は、主刃部５３の基部５３ａの前端縁から先端部５３ｂの先端（前端）５３ｃまでの前後張り出し幅Ｌ１の半分以下に形成している。そのため、受刃５１と主・副刃部５３,５４とによる茎稈Ｋの切断面積を大きく（懐を広く）して、切断性能を良好に確保することができる。そして、主刃部５３の切断領域を大きく形成することができるため、左右に隣接する受刃５１,５１同士の間隔Ｗ位に太い茎稈Ｋであっても、その太い茎稈Ｋに主刃部５３を堅実に切断作用させることができる。その結果、茎稈Ｋの切断効率を向上させることができる。
【００４０】
主・副刃部５３,５４はそれぞれ左側傾斜刃面５３ｄ,５４ｄと右側傾斜刃面５３ｅ,５４ｅとを有する山型の片刃に形成するとともに、主・副刃部５３,５４の左側傾斜刃面５３ｄ,５４ｄ同士ないしは右側傾斜刃面５３ｅ,５４ｅ同士は、略平行となるように形成して、主・副刃部５３,５４を相似形の山型に形成することができる。そのため、左右方向に往復切断摺動する主・副刃部５３,５４が往路と復路の何れにおいても茎稈Ｋに順次二段階に切断作用して、これらの主・副刃部５３,５４と受刃５１とが協働して太い茎稈Ｋであっても堅実に切断することができる。
【００４１】
次に、刈刃装置３２の構成をより具体的に説明する。すなわち、刈刃装置３２は、図４に示すように、プラットフォーム３１の前端縁下部に設けた受け片６０に、取付ボルト６１により着脱自在に取り付けている。受け片６０は、プラットフォーム３１の前端縁下部に沿うように左右方向に伸延させて形成している。刈刃装置３２は、受け片６０に取り付ける取付片７０と、取付片７０に固定状態に取り付けた受刃５１と、受刃５１中を摺動可能に配置した刈刃５２と、刈刃５２を下方から支持する刈刃支持片７１と、刈刃支持片７１の後端面と摺接して刈刃５２を摺動案内する摺らせ片７２と、刈刃５２を上方から規制する規制片７３等を具備している。
【００４２】
図５〜図７を参照しながらより具体的に説明すると、取付片７０は、左右方向に伸延する帯状の横臥面部７４と、横臥面部７４の後端縁から下方へ垂下した垂下面部７５とから側面視Ｌ字状に形成している。そして、垂下面部７５に形成した取付ボルト挿通孔７６を介して受け片６０に取付ボルト６１により前傾姿勢で取り付けている。その結果、横臥面部７４は前下方へ下り傾斜姿勢を採って、横臥面部７４に受刃５１と刈刃５２が前下方へ下り傾斜姿勢に支持されるようにしている。９１は横臥面部７４に形成した第１連結孔である。
【００４３】
受刃５１は、前後方向に伸延させるとともに後下方へ膨出させて先細り棒状に形成した下面部７７と、下面部７７の先端から後上方へ折り返し状に形成した上面部７８とから一体成形している。上面部７８は後端縁部を下面部７７の中途部上方に配置して、上・下面部７７,７８により左右側方と後方が開口した刈刃摺動空間７９を形成している。受刃５１は、左右に隣接する一対の下面部７７,７７の基端部同士を左右横長の接続片８０により一体に接続して、受刃ユニットとして形成している。下面部７７の後半部上面には、左右方向に伸延する凹条溝部８１を形成している。下面部７７の基端部（後端部）には第１連結孔９１と符合する第２連結孔９２を形成している。
【００４４】
主・副刃部５３,５４は、基部５３ａ,５４ａ同士を左右方向に交互に端面が当接するように隣接配置して、刈刃支持片７１に固定ボルト８２，８９により固定している。図５に示す９７は、刈刃５２の右側部に取り付けた駆動リンク取付片、９８は取付突片である。取付突片９８は駆動リンク（図示せず）に連動連結して、エンジン１１からの駆動力を駆動リンクが受けて、駆動リンクを介して刈刃５２が左右方向へ所定のストロークで往復摺動されることで、近接する受刃５１と協働して茎稈Ｋを切断するようにしている。９９は取付ブラケットである。
【００４５】
刈刃支持片７１は、左右方向に伸延するとともに、前後細幅の帯板状に形成して、受刃５１の凹条溝部８１内に配置している。
【００４６】
摺らせ片７２は、取付片７０の横臥面部７４の前半部を被覆する薄肉板状の上面被覆部８３と、横臥面部７４の前端縁部の上半部とを被覆する前面被覆部８４とを左右方向に伸延させて一体に形成している。前面被覆部８４の前面には刈刃支持片７１の後端面が左右方向に摺動自在に面接触している。つまり、刈刃支持片７１は前面被覆部８４の前面に左右方向へ摺動案内される。上面被覆部８３には第１連結孔９１と符合する第３連結孔９３を形成している。
【００４７】
規制片７３は、左右に隣接する受刃５１,５１の基端部幅と略同一幅を有する横長板状の規制片基部８５と、規制片基部８５の中央部から受刃５１,５１の接続片８０の前端面位置まで伸延させて形成した規制片先端部８６とから一体形成している。そして、規制片基部８５は取付片７０に連結して、規制片先端部８６を片持ち支持するとともに、規制片先端部８６の先端部により刈刃５２の中途部が上方へ反り返るのを規制している。規制片基部８５には第１連結孔９１と符合する第４連結孔９４を形成している。第１〜第４連結孔９１〜９４中には連結ボルト９５を挿通して連結ナット９６を締結して、これら連結ボルト９５と連結ナット９６により規制片７３と摺らせ片７２と取付片７０と受刃５１とを一体的に連結している。図７に示す８７は、規制片先端部８６の先端部に取り付けた受刃・刈刃当接片であり、８８はスペーサである。
【符号の説明】
【００４８】
１  コンバイン
２  走行部
３  機体
４  刈取部
５  脱穀部
６  選別部
７  排藁処理部
８  運転部
９  原動機部
１０  穀粒貯留部
３２  刈刃装置
５１  受刃
５２  刈刃
５３  主刃部
５４  副刃部
【図１】
2014166148.tif 000003
【図２】
2014166148.tif 000004
【図３】
2014166148.tif 000005
【図４】
2014166148.tif 000006
【図５】
2014166148.tif 000007
【図６】
2014166148.tif 000008
【図７】
2014166148.tif 000009
【図８】
2014166148.tif 000010